(57)【要約】【課題】ガスの冷却を行いながらも、下流側に設けられる機器を凝縮水から保護することが可能なガス冷却装置を提供する。【解決手段】第１熱交換器２１は、加温機１０あるいは第２熱交換器２２が運転時に放出する熱を利用して、第２熱交換器２２によって冷却された燃焼排ガスを加熱する。【選択図】図１
2015188864.tif 000002
【特許請求の範囲】
【請求項１】
ガスの冷却を行うガス冷却装置であって、
ガス発生源からガスの供給を受け、該ガスを冷却する冷却器と、
前記冷却器によって冷却されたガスの相対湿度を低下させる除湿器と、を備え、
前記除湿器は、前記ガス発生源あるいは前記冷却器が運転時に放出する熱を利用して、前記冷却器によって冷却されたガスを加熱することを特徴とするガス冷却装置。
【請求項２】
前記除湿器は、前記ガス発生源から前記冷却器に供給されるガスが有する熱を利用して、前記冷却器によって冷却されたガスを加熱することを特徴とする請求項１に記載のガス冷却装置。
【請求項３】
前記冷却器から前記除湿器に供給されるガスに発生した凝縮水を除去する凝縮水除去装置を備えることを特徴とする請求項１又は２に記載のガス冷却装置。
【発明の詳細な説明】
【技術分野】
【０００１】
本発明は、ガスの冷却を行うガス冷却装置に関する。
【背景技術】
【０００２】
燃焼等によって発生する高温のガスに種々の処理を施し、ガスの熱や、ガスに含まれる物質を利用する技術が広く普及している。
【０００３】
下記特許文献１には、加温機において重油や灯油などを燃焼させ、排出された燃焼排ガスに含まれる二酸化炭素を回収・貯留する二酸化炭素施用装置が記載されている。この二酸化炭素施用装置では、夜間、農業用ハウス内の気温が低下し過ぎて園芸植物の生育が阻害されることのないように、燃焼により発生した燃焼熱を温風として農業用ハウス内に供給し、空気を加温している。一方、昼間は、夜間の燃焼の際に回収・貯留しておいた二酸化炭素を農業用ハウス内に供給（施用）することで、園芸植物の光合成を活性化させ、園芸植物の収率および品質の向上を図っている。
【０００４】
上記二酸化炭素施用装置では、燃焼排ガスに含まれる二酸化炭素の回収・貯留は、ゼオライト等の吸着材を用いて、二酸化炭素を吸着することにより行っている。また、園芸植物の生育に悪影響を及ぼす燃焼排ガス中の窒素酸化物については、触媒作用を有する高活性炭素繊維により、窒素酸化物を変質させることで除去している。
【０００５】
加温機から排出された高温（３００℃程度）の燃焼排ガスを、直接吸着材や高活性炭素繊維に供給すると、燃焼排ガスが有する熱によってそれらが損傷し、それぞれに要求される性能を発揮できなくなるおそれがある。このため、下記特許文献１に記載された二酸化炭素施用装置では、燃焼排ガスをまず熱交換器に導入し、その後、吸着材や高活性炭素繊維に供給している。燃焼排ガスは、熱交換器において熱を奪われて冷却され、その温度が低下するため、吸着材や高活性炭素繊維の熱による損傷を防止することができる。
【先行技術文献】
【特許文献】
【０００６】
【特許文献１】特開２０１３−０７４８８７号公報
【発明の概要】
【発明が解決しようとする課題】
【０００７】
上記特許文献１記載の二酸化炭素施用装置では、熱交換器において冷却された燃焼排ガスは、温度が低下する一方で、それに伴って飽和水蒸気圧も低下し、相対湿度が上昇するため、燃焼排ガスに含まれる水分が結露して、凝縮水が発生するおそれがある。このように相対湿度が高い状態にある燃焼排ガスを、そのまま下流側の吸着材や高活性炭素繊維に供給すると、凝縮水が発生してそれらに付着し、二酸化炭素の吸着や窒素酸化物の変質が適切に行えなくおそれがある。
【０００８】
本発明はこのような課題に鑑みてなされたものであり、その目的は、ガスの冷却を行いながらも、下流側に設けられる機器を凝縮水から保護することが可能なガス冷却装置を提供することにある。
【課題を解決するための手段】
【０００９】
上記課題を解決するために、本発明に係るガス冷却装置は、ガスの冷却を行うガス冷却装置であって、ガス発生源からガスの供給を受け、該ガスを冷却する冷却器と、前記冷却器によって冷却されたガスの相対湿度を低下させる除湿器と、を備え、前記除湿器は、前記ガス発生源あるいは前記冷却器が運転時に放出する熱を利用して、前記冷却器によって冷却されたガスを加熱することを特徴としている。
【００１０】
本発明に係るガス冷却装置によれば、ガス発生源から供給されるガスは、冷却器によって冷却されて温度が低下し、相対湿度が上昇するが、その後、当該ガスは除湿器によって相対湿度が低下するため、凝縮水の発生を抑制することができる。この除湿器は、ガス発生源あるいは冷却器が運転時に放出する熱を利用して、冷却器によって冷却されたガスを加熱して相対湿度を低下させるものである。したがって、電力により発熱する電気ヒータ等の、別途のエネルギーを要する機器を使用することなく、ガスの相対湿度を低下させ、本ガス冷却装置の下流側に設けられる機器を凝縮水から保護することができる。
【００１１】
ここで、ガス発生源あるいは冷却器が運転時に放出する熱としては、例えば、燃料を燃焼させる加温機等から排出される燃焼排ガスが有する熱や、当該加温機等によって加熱され農業用ハウス内に供給される空気が有する熱や、冷却器において高温のガスと熱交換を行って高温となった冷媒が有する熱等が挙げられる。
【００１２】
また本発明に係るガスでは、前記除湿器は、前記ガス発生源から前記冷却器に供給されるガスが有する熱を利用して、前記冷却器によって冷却されたガスを加熱することも好ましい。
【００１３】
この好ましい態様では、ガス発生源から冷却器に供給される高温のガスにより、冷却器によって冷却されたガスを加熱して確実に相対湿度を低下させることが可能となるため、本ガス冷却装置の下流側に設けられる機器を凝縮水から保護することができる。
【００１４】
また本発明に係るガスでは、前記冷却器から前記除湿器に供給されるガスに発生した凝縮水を除去する凝縮水除去装置を備えることも好ましい。
【００１５】
この好ましい態様では、冷却器によって冷却されたガスに凝縮水が発生した場合であっても、その凝縮水は凝縮水除去装置によって除去されるため、凝縮水が除湿器によって加熱されて気化することを抑制することができる。したがって、そのように気化した水分が、本ガス冷却装置の下流側に設けられる機器において再度凝縮水となる事態を抑制することが可能となる。
【発明の効果】
【００１６】
本発明によれば、ガスの冷却を行いながらも、下流側に設けられる機器を凝縮水から保護することが可能なガス冷却装置を提供することが可能となる。
【図面の簡単な説明】
【００１７】
【図１】本発明の実施形態に係るガス冷却装置を搭載した二酸化炭素施用装置のガスの流れを表すブロック図である。
【発明を実施するための形態】
【００１８】
以下、添付図面を参照しながら本発明の実施形態について説明する。まず、図１を参照して、本発明の実施形態に係るガス冷却装置の概要を説明する。図１は、本発明の実施形態に係るガス冷却装置２０を搭載した二酸化炭素施用装置１００のガスの流れを表すブロック図である。
【００１９】
図１に表すように、二酸化炭素施用装置１００は、加温機１０と、ガス冷却装置２０と、浄化フィルタ３０と、ブロア４０と、二酸化炭素吸着装置５０と、を有している。
【００２０】
加温機１０は、重油や灯油等の燃料を燃焼させる燃焼装置である。加温機１０は、夜間に農業用ハウス（図示せず）内の気温が下がり過ぎて園芸植物の生育が阻害されることのないように、農業用ハウス内の空気を加熱して温風を供給する。加温機１０には配管２が接続されており、燃料の燃焼により発生した燃焼排ガスが、この配管２内を流れるように構成されている。配管２は高温の燃焼排ガスの流通にも耐え得るように、ステンレス等の耐熱性に優れた金属材料で形成されている。
【００２１】
ガス冷却装置２０は、加温機１０の下流側に設けられており、第１熱交換器２１（除湿器）と、第２熱交換器２２（冷却器）と、凝縮水除去装置２３と、を有している。
【００２２】
第１熱交換器２１と、その下流側に設けられる第２熱交換器２２は、いずれも、外部から供給される２つの流体をその内部に通過させ、両流体間で熱交換させる熱交換器である。
詳細には、第１熱交換器２１は、その内部に高温側流路２１Ｈ及び低温側流路２１Ｃの２つの独立した流路が形成されており、比較的温度が高い流体を高温側流路２１Ｈに流し、比較的温度が低い流体を低温側流路２１Ｃに流す熱交換器である。
また、第２熱交換器２２は、その内部に高温側流路２２Ｈ及び低温側流路２２Ｃの２つの独立した流路が形成されており、比較的温度が高い流体を高温側流路２２Ｈに流し、比較的温度が低い流体を低温側流路２２Ｃに流す熱交換器である。
第１熱交換器２１の高温側流路２１Ｈは、その上流側が配管２に連結されている。また、第１熱交換器２１の高温側流路２１Ｈの下流側と、第２熱交換器２２の高温側流路２２Ｈの上流側とが、配管３によって連結されている。
【００２３】
凝縮水除去装置２３は、第２熱交換器２２の下流側に設けられ、その内部に形成された屈曲流路でガスを上下方向に蛇行させ、当該ガスから凝縮水を分離する機器である。これにより、凝縮水除去装置２３に供給されたガスは、凝縮水を除去した状態で配管５を介して排出される。
【００２４】
浄化フィルタ３０は、ガス冷却装置２０の下流側に設けられ、通過するガスから硫黄酸化物等有害ガスを除去するフィルタである。詳細には、浄化フィルタ３０は、第１熱交換器２１の低温側流路２１Ｃの下流側に設けられており、表面に微細な細孔構造を有し、吸着特性が優れた繊維状の活性炭である。
【００２５】
尚、本実施形態では、浄化フィルタ３０は、活性炭の吸着特性により硫黄酸化物の除去を行うものとしているが、除去対象物や除去の方法はこれらに限られるものではなく、ガスに含まれる種々の物質を他の方法で除去し、ガスの浄化を行うものを採用することも可能である。
【００２６】
ブロア４０は、浄化フィルタ３０の下流側に設けられ、電力の供給を受けてモータ（図示せず）を駆動させ、ファン（図示せず）を回転させることで、配管７を介してガスを吸引するファンモータである。ブロア４０によって吸引されたガスは、配管８を介して下流側に圧送される。
【００２７】
二酸化炭素吸着装置５０は、ブロア４０の下流側に設けられ、その内部には、図示しない活性炭（吸着材）が収容されている。活性炭は、その表面に多数設けられる細孔において、燃焼排ガスに含まれる二酸化炭素を吸着することで、二酸化炭素を内部に貯留する。二酸化炭素吸着装置５０内の活性炭によって二酸化炭素の一部又は全部を除去されたガスは、その外部へと排出される。
【００２８】
尚、本実施形態では、吸着材として活性炭を用いているが、ガスに含まれる二酸化炭素を吸着・貯留する機能を有するものであれば他の材料を用いることも可能であり、例えばゼオライト等の親水性多孔質材料を用いてもよい。
【００２９】
上記構成を備える二酸化炭素施用装置１００は、農業用ハウス内の気温が低下する夜間は、燃料を燃焼させて農業用ハウス内に温風を供給するとともに、二酸化炭素吸着装置５０の活性炭において、燃焼排ガスに含まれる二酸化炭素の吸着を行う。以下、二酸化炭素施用装置１００における燃焼排ガスの流れについて説明する。燃焼排ガスや冷却水等の流体の名称の後方に、その温度や湿度の値を括弧書きで示すが、それらの値は発明の理解のために目安として示すものに過ぎず、本発明はこれに限定されるものではない。
【００３０】
加温機１０における燃料の燃焼により、加温機１０から高温の燃焼排ガス（３００℃程度）が排出される。排出された燃焼排ガスは、配管２を介して第１熱交換器２１に供給される。
【００３１】
加温機１０から燃焼排ガス（３００℃程度）の供給を受けた第１熱交換器２１は、その高温側流路２１Ｈに燃焼排ガス（３００℃程度）を流し、低温側流路２１Ｃに後述する低温ガス（２５℃程度）を流す。これによって当該燃焼排ガス（３００℃程度）と、低温ガス（２５℃程度）との熱交換が行われ、燃焼排ガス（３００℃程度）は、低温ガス（２５℃程度）によって熱を奪われることで冷却される。このため、加温機１０から配管２を介して供給された燃焼排ガス（３００℃程度）は、第１熱交換器２１を通過することで、その温度が２８０℃程度まで低下する。
【００３２】
第１熱交換器２１を通過した燃焼排ガス（２８０℃程度）は、配管３を介して第２熱交換器２２に供給される。第２熱交換器２２は、その高温側流路２２Ｈに燃焼排ガス（２８０℃程度）を流し、低温側流路２２Ｃに冷却水（１０℃程度）を流す。これによって当該燃焼排ガス（２８０℃程度）と、冷却水（１０℃程度）との熱交換が行われ、燃焼排ガス（２８０℃程度）は、冷却水（１０℃程度）によって熱を奪われることで冷却される。このため、第１熱交換器２１から配管３を介して供給された燃焼排ガス（２８０℃程度）は、第２熱交換器２２を通過することで、その温度が３０℃程度まで低下する。また、燃焼排ガスとの熱交換を行うことで、冷却水はその温度が上昇して第２熱交換器２２から排出される。
【００３３】
第２熱交換器２２を通過した燃焼排ガス（３０℃程度）は、その温度が大きく低下したことにより、飽和水蒸気圧も低下し、相対湿度が９９％程度の多湿のガスとなる。このため、第２熱交換器２２から燃焼排ガス（３０℃、９９％程度）が排出される配管４内では、その内壁等で凝縮水が発生する。
【００３４】
燃焼排ガス（３０℃、９９％程度）は、発生した凝縮水とともに配管４内をさらに下流側に流れ、凝縮水除去装置２３に供給される。燃焼排ガス（３０℃、９９％程度）は、凝縮水除去装置２３の内部の屈曲流路を上下方向に蛇行して通過する。一方、凝縮水は、重力のため上下方向に蛇行することができず、屈曲流路の底面に落下する。また、燃焼排ガス（３０℃、９９％程度）が蛇行する際に、その水分の一部が遠心分離される。
【００３５】
凝縮水除去装置２３において凝縮水を除去された燃焼排ガス（３０℃、９９％程度）は、配管５を下流側の第１熱交換器２１に向けて流れる。燃焼排ガス（３０℃、９９％程度）は、ステンレス鋼管である配管５内を流れることで、配管５の管壁を介して外気との熱交換を行って冷却され、その温度が２５℃程度まで低下する。
【００３６】
配管５を流れて第１熱交換器２１に供給された燃焼排ガス（２５℃、９９％程度）は、第１熱交換器２１の低温側流路２１Ｃを流れる。すなわち、第１熱交換器２１を一度通過した燃焼排ガス（２８０℃程度）が、第２熱交換器２２及び凝縮水除去装置２３を経て第１熱交換器２１に帰還し、上述した低温ガス（２５℃程度）として機能する。
【００３７】
したがって、第１熱交換器２１において、加温機１０から供給され高温側流路２１Ｈを流れる燃焼排ガス（３００℃程度）と、上述したように帰還して低温側流路２１Ｃを流れる燃焼排ガス（２５℃、９９％程度）との熱交換が行われる。低温側流路２１Ｃを流れる燃焼排ガス（２５℃、９９％程度）は、高温側流路２１Ｈを流れる燃焼排ガス（３００℃程度）から熱を奪うことで加熱される。このため、第１熱交換器２１に帰還した燃焼排ガス（２５℃、９９％程度）は、第１熱交換器２１を通過することで、その温度が４０℃程度まで上昇する一方、それに伴う飽和水蒸気圧の上昇により、相対湿度が４５％程度まで低下する。
【００３８】
第１熱交換器２１の低温側流路２１Ｃから排出された燃焼排ガス（４０℃、４５％程度）は、配管６を介して浄化フィルタ３０に供給される。この浄化フィルタ３０への燃焼排ガス（４０℃、４５％程度）の供給は、浄化フィルタ３０と配管７を介して連通しているブロア４０が運転し、配管７側を負圧にして燃焼排ガス（４０℃、４５％程度）を吸引することにより行われる。燃焼排ガス（４０℃、４５％程度）は、浄化フィルタ３０を通過することにより、園芸植物に供給されても支障のない程度まで硫黄酸化物等有害ガスが除去される。
【００３９】
浄化フィルタ３０に供給された燃焼排ガス（４０℃、４５％程度）は、浄化フィルタ３０を通過してステンレス鋼管である配管７内を流れることで、配管７の管壁を介して外気との熱交換を行って冷却され、その温度は３５℃程度まで低下し、相対湿度は５８％程度まで上昇する。
【００４０】
また、配管７を介してブロア４０に供給された燃焼排ガス（３５℃、５８％）は、ブロア４０を通過する際に、ブロア４０の電動モータが発生するジュール熱を奪うことにより、その温度が５５℃程度まで上昇し、相対湿度は２２％程度まで低下する。
【００４１】
ブロア４０を通過した燃焼排ガス（５５℃、２２％程度）は、配管８を介して二酸化炭素吸着装置５０に供給される。二酸化炭素吸着装置５０の内部に収容された活性炭を燃焼排ガス（５５℃、２２％程度）が通過することで、そこに含まれている二酸化炭素が活性炭に吸着され、貯留される。二酸化炭素吸着装置５０に貯留された二酸化炭素は、農業用ハウス内の園芸植物の光合成を促進するため、昼間に園芸植物へと供給される。
【００４２】
二酸化炭素吸着装置５０の内部に収容された活性炭の耐熱性能が低い場合には、二酸化炭素吸着装置５０に供給される燃焼排ガスの温度を低下させるために、ブロア４０と二酸化炭素吸着装置５０との間に新たな熱交換器（図示せず）を設けてもよい。
【００４３】
以上のようなガス冷却装置２０によれば、加温機１０（ガス発生源）から供給される燃焼排ガスは、第２熱交換器２２（冷却器）によって冷却されて温度が低下し、相対湿度が上昇するが、その後、当該燃焼排ガスは第１熱交換器２１（除湿器）によって相対湿度が低下するため、凝縮水の発生を抑制することができる。
【００４４】
この第１熱交換器２１は、加温機１０から第２熱交換器２２に供給される燃焼排ガスが有する熱を利用して、第２熱交換器２２によって冷却された燃焼排ガスを加熱して相対湿度を低下させるものである。したがって、電力により発熱する電気ヒータ等、別途のエネルギーを要する機器を使用することなく燃焼排ガスの加熱を行い、本ガス冷却装置２０の下流側に設けられる浄化フィルタ３０、ブロア４０及び二酸化炭素吸着装置５０を凝縮水から保護することができる。
【００４５】
第２熱交換器２２によって冷却された燃焼排ガスの加熱には、加温機１０から第２熱交換器２２に供給される燃焼排ガスの他にも、加温機１０によって加熱され、農業用ハウス内に供給される空気が有する熱や、第２熱交換器２２において昇温した冷却水が有する熱等を利用してもよい。
【００４６】
また、第２熱交換器２２（冷却器）から第１熱交換器２１（除湿器）に供給される燃焼排ガスに発生した凝縮水を除去する凝縮水除去装置２３を備えることにより、第２熱交換器２２によって冷却された燃焼排ガスに凝縮水が発生した場合であっても、その凝縮水は凝縮水除去装置２３によって除去されるため、凝縮水が第１熱交換器２１によって加熱されて気化することを抑制することができる。したがって、そのように気化した水分が、本ガス冷却装置２０の下流側に設けられる浄化フィルタ３０、ブロア４０及び二酸化炭素吸着装置５０において再度凝縮水となる事態を抑制するが可能となる。
【００４７】
以上、具体例を参照しつつ本発明の実施形態について説明した。しかし、本発明はこれらの具体例に限定されるものではない。例えば、上述したガス冷却装置２０は、二酸化炭素施用装置１００に搭載され、加温機１０から供給される燃焼排ガスを冷却するものとしているが、これに限らず、ガスの冷却を要するその他の機器に搭載することも可能である。すなわち、これら具体例に、当業者が適宜設計変更を加えたものも、本発明の特徴を備えている限り、本発明の範囲に包含される。
【００４８】
また、前述した各実施形態が備える各要素は、技術的に可能な限りにおいて組み合わせることができ、これらを組み合わせたものも本発明の特徴を含む限り本発明の範囲に包含される。
【符号の説明】
【００４９】
１０  ：加温機（ガス発生源）
２０  ：ガス冷却装置
２１  ：第１熱交換器（除湿器）
２２  ：第２熱交換器（冷却器）
２３  ：凝縮水除去装置
１００：二酸化炭素施用装置
【図１】
2015188864.tif 000003